(57)【要約】  WLAN端末が、そのWLAN端末に設けられた優先SSIDリスト上の少なくともいくつかのSSIDのいずれが、あるアクセス可能なWLANアクセス・ポイントまたは別のアクセス可能なWLANアクセス・ポイントで利用可能であるかを決定する際に、各プローブ・メッセージがそれぞれ1つのSSIDを示す複数のプローブ・メッセージをアクセス可能なWLANアクセス・ポイントに送信するが、上記リストに含まれる各インディケータが、リスト上のあるSSIDをWLAN端末が探すことを示す場合だけ、そのSSIDのためのプローブ・メッセージの送信を行なう方法。
2007520939.tif 000002
【特許請求の範囲】
【請求項１】
無線ローカル・エリア・ネットワーク端末に設けられたサービス・セット識別子の優先リストの中の少なくともいくつかのサービス・セット識別子のうちのいずれが、ある無線ローカル・エリア・ネットワーク・アクセス・ポイントで利用可能であるか否かを、前記無線ローカル・エリア・ネットワーク端末によって決定するために使用される方法であって、アクセス可能な無線ローカル・エリア・ネットワーク・アクセス・ポイントによって受信されるよう、各プローブ・メッセージがそれぞれ１つのサービス・セット識別子を示す複数のプローブ・メッセージを送信するステップを含む方法において、
前記サービス・セット識別子の優先リストの中の１つのサービス・セット識別子のためのプローブ・メッセージを、前記無線ローカル・エリア・ネットワーク端末に設けられかつ前記リストの中の前記１つのサービス・セット識別子に関連付けられたインディケータが、前記無線ローカル・エリア・ネットワーク端末が前記１つのサービス・セット識別子を探知することを示すときにのみ、送信することを特徴とする方法。
【請求項２】
前記リストが、前記無線ローカル・エリア・ネットワーク端末が前記１つのサービス・セット識別子を探知することを示す前記インディケータを、含む請求項1に記載の方法。
【請求項３】
前記インディケータが、前記リストとは別に記憶され、かつ前記リストの中のサービス・セット識別子と特定の関連付けを有する、請求項1に記載の方法。
【請求項４】
前記インディケータを前記無線ローカル・エリア・ネットワーク端末のメモリ・カードに記憶させる、請求項1に記載の方法。
【請求項５】
前記インディケータを前記無線ローカル・エリア・ネットワーク端末とともに使用される加入者識別モジュールに記憶させる、請求項1に記載の方法。
【請求項６】
無線ローカル・エリア・ネットワーク端末に設けられたサービス・セット識別子の優先リストの中の少なくともいくつかのサービス・セット識別子のうちのいずれが、ある無線ローカル・エリア・ネットワーク・アクセス・ポイントで利用可能であるか否かを、前記無線ローカル・エリア・ネットワーク端末によって決定するために使用される装置であって、アクセス可能な無線ローカル・エリア・ネットワーク・アクセス・ポイントによって受信されるよう、各プローブ・メッセージがそれぞれ１つのサービス・セット識別子を示す複数のプローブ・メッセージを送信する手段を含む装置において、
前記サービス・セット識別子の優先リストの中の１つのサービス・セット識別子のためのプローブ・メッセージを、前記無線ローカル・エリア・ネットワーク端末に設けられかつ前記リストの中の前記１つのサービス・セット識別子に関連付けられたインディケータが、前記無線ローカル・エリア・ネットワーク端末が前記１つのサービス・セット識別子を探知することを示すときにのみ、送信する手段を備えることを特徴とする装置。
【請求項７】
前記リストが、前記無線ローカル・エリア・ネットワーク端末が前記１つのサービス・セット識別子を探知することを示す前記インディケータを、含む請求項6に記載の装置。
【請求項８】
前記インディケータが、前記リストとは別に記憶され、かつ前記リストの中のサービス・セット識別子との特定の関連付けを有する、請求項6に記載の装置。
【請求項９】
前記インディケータが、前記無線ローカル・エリア・ネットワーク端末のメモリ・カードに記憶される、請求項6に記載の装置。
【請求項１０】
前記インディケータが、前記無線ローカル・エリア・ネットワーク端末とともに使用される加入者識別モジュールに記憶される、請求項6に記載の装置。
【発明の詳細な説明】
【技術分野】
【０００１】
本発明は、無線ローカル・エリア・ネットワーク・サービスの分野に関する。より詳細には、本発明は、SSIDを探知するWLAN端末に関する。
【背景技術】
【０００２】
サービス・セット識別子（SSID）は32文字からなる固有の識別子であり、無線ローカル・エリア・ネットワーク（WLAN）上を送信されるパケットのヘッダに添付され、移動デバイスが基本サービス・セット（BSS）への接続を試みるときにパスワードとして機能する。互いに直接通信している無線デバイスの各集合は、BSSと呼ばれる。いくつかのBSSを合わせて1つの論理WLANセグメントを形成することができる。それを拡張されたサービス・セット（ESS）と呼ぶ。SSIDは、単に、ESSに与えられた1〜32バイトの英数字名である。
【０００３】
したがってSSIDは、1つのWLANを別のWLANから区別する。そこですべてのアクセス・ポイント（無線デバイスのユーザーが有線WLANに接続するための通信ハブとして機能するハードウエア装置またはコンピュータのソフトウエア）と、所定のWLANへの接続を試みるすべてのデバイスは、その所定のWLANのためのSSIDと同じSSIDを使用せねばならない。一般に、デバイスがBSSに加わることは、そのデバイスがそのBSS固有のSSIDを提供できる場合を除いて許されない。SSIDは、ネットワーク名とも呼ばれる。なぜならSSIDは、実際に（無線ローカル・エリア）ネットワークを識別する名前だからである。
【０００４】
WLANには、1つ以上のアクセス・ポイントと、2つ以上のステーションが含まれている。例えばある会社のある部門のWLAN（ESS）はいくつかのアクセス・ポイントと数十のステーションを持つことができ、これらはすべて同じSSIDを使用している。同じ建物の中にあるこの会社の別の部門は、異なるSSIDを使用する複数のアクセス・ポイントとステーションからなる部門独自のWLANを使用している可能性がある。SSIDの目的は、第1の部門のステーションがその第1の部門のWLANのアクセス・ポイントを見つけて接続するのを助け、第2の部門に属するアクセス・ポイントは無視することである。
【０００５】
それぞれのアクセス・ポイントは、ESS名すなわちSSIDを含むビーコン・フレームを送信することにより、自分の存在を1秒間に何回か通知する。ステーションは、受動的にビーコンを聴くことによってESSのためのアクセス・ポイントを発見することができる。あるいはステーションは、そのESSのSSIDを有するアクセス・ポイントを能動的に探知するためにプローブ・フレームを送信することができる。ステーションは、ほぼ望みの名前のアクセス・ポイントを見つけると、所望のSSIDを含んだアソシエート要求フレーム（associate request frame）を送信することができる。そのアクセス・ポイントは、やはりそのSSIDを含んでいるアソシエート応答フレーム（associate response frame）を送り返す。
【０００６】
無線デバイスはこのようにSSIDを利用して接続を確立し、維持する。アソシエーションプロセス（association process）の一部として、WLANのあるステーションのための無線ネットワーク・インターフェイス・カード（NIC）が、そのWLANの（1つまたは複数の）アクセス・ポイントと同じSSIDを持たねばならない。従来のアクセス・ポイントは、単一のSSIDをサポートするだけであるが、今ではいくつかの会社が、複数のSSIDをサポートする企業レベルのアクセス・ポイントを提供している。複数のSSIDにより、ユーザーは、単一のアクセス・ポイントを通じていろいろなネットワークにアクセスすることができる。ネットワーク・マネージャが、それぞれのSSIDごとにいろいろな方針と機能を割り当てることができる。そのためネットワーク・インフラストラクチャーの柔軟性と効率が大きくなる。複数のSSIDを利用するというのは、共有されるWLANインフラストラクチャーを開発するときの柔軟性がより大きくなることを意味する。WLANは、1つのタイプのアプリケーション（おそらく、重要な認証と暗号化を必要とするアプリケーション）だけをサポートするのではなく、他のタイプのアプリケーションも維持することができる。
【０００７】
WLANサービスが利用可能であるかどうかを示すため、上記のようにWLANのアクセス・ポイントは、そのアクセス・ポイントのSSIDを含む一斉同報送信ビーコン・メッセージを定期的に送信する。WLANの1つのアクセス・ポイントは、1つまたは複数のSSIDを、それぞれ別々のビーコン・メッセージの中で一斉同報送信することができる。
【０００８】
WLANのアクセス・ポイントは、一斉同報送信されるSSIDに加え、ビーコン・メッセージによって通知しない他のSSIDもサポートすることができる。WLANのアクセス・ポイントがいくつかのSSIDを一斉同報送信しない可能性があることには理由がいくつかある。第1に、WLANのたいていのアクセス・ポイントは、複数のSSIDをサポートしている一方で、通常はそのうちの1つのSSIDだけのためのビーコン・メッセージしか送信できない。第2に、プライベートな（例えば企業または住居の）WLANの場合には、ビーコン・メッセージが送信されると、外部の人間にとってWLANネットワークの存在を検出するのがより容易になるおそれがある。
【０００９】
移動WLAN端末がこうした追加のSSIDを見いだす唯一の方法は、一斉同報送信プローブ・メッセージを送信し、どこか近くにあるWLANアクセス・ポイントが特定のSSIDをサポートしているかどうかを尋ねるというものである。そのSSIDをサポートしているあるWLANアクセス・ポイントがプローブ・メッセージを受信すると、そのアクセス・ポイントはプローブ応答メッセージを送り返す。
【００１０】
したがってWLAN端末は、一斉同報送信情報（ビーコン・メッセージ）を受動的に受信することにより、利用可能なすべてのWLANアクセス・ポイントから一斉同報送信SSIDを見いだす。しかしこれでは、そのWLAN端末にとって利用可能なすべてのSSIDがわかることは保証されない。
【００１１】
あるWLAN端末がプローブ・メッセージを送信するには、そのWLAN端末が関心を持っているSSID値を知る必要がある。このようなSSID値は、WLAN端末の中にある優先SSIDリスト（preferred SSID list）と呼ばれているものの中に含まれている。優先SSIDリストは極めて長くなる可能性があるため、そのリスト上の各SSIDのためのプローブ・メッセージを送ると、WLAN端末に許されている電力に影響が及ぶ可能性があるだけでなく、WLAN端末の時間と無線容量にも影響する可能性がある。したがって優先SSIDリスト上の各SSIDのためのプローブ・メッセージを送信せずに済ませられると望ましい。
【００１２】
優先SSIDリストは3GPP-WLANインターワーキング端末と関係しているため、従来技術では上記の状況に対処できていない。現在の（ラップトップのための）WLAN解決法では、ビーコン・メッセージの中で送信されるSSIDの1つをユーザーが自分で選択するか、探すべきSSIDをユーザーがタイプ入力することが期待されている。したがってWLAN端末が複数のSSIDを探知せねばならなくなるような状況は生じない。
【発明の開示】
【００１３】
上記の状況に鑑み、本発明の第１の形態では、無線ローカル・エリア・ネットワーク(WLAN)端末に設けられたサービス・セット識別子(SSID)の優先リストの中の少なくともいくつかのサービス・セット識別子のうちのいずれが、ある無線ローカル・エリア・ネットワーク・アクセス・ポイントで利用可能であるか否かを、無線ローカル・エリア・ネットワーク端末によって決定するために使用される方法であって、アクセス可能な無線ローカル・エリア・ネットワーク・アクセス・ポイントによって受信されるよう、各プローブ・メッセージがそれぞれ１つのサービス・セット識別子を示す複数のプローブ・メッセージを送信するステップを含む方法が提供される。ここに該方法は、サービス・セット識別子の優先リストの中の１つのサービス・セット識別子のためのプローブ・メッセージを、上記１つのサービス・セット識別子に関連付けられたリストが、無線ローカル・エリア・ネットワーク端末が上記１つのサービス・セット識別子を探知することを示すときにのみ、送信するステップを含む。
【００１４】
本発明の第１形態によれば、上記リストは、無線ローカル・エリア・ネットワーク端末が１つのサービス・セット識別子を探知することを示すインディケータを含んでよい。
【００１５】
また本発明の第１形態によれば、インディケータが、上記リストとは別に記憶されてよく、このときインディケータが上記リストの中のサービス・セット識別子と特定の関連付けを有する。
【００１６】
また本発明の第１形態によれば、インディケータを無線ローカル・エリア・ネットワーク端末のメモリ・カードに記憶させてもよい。
【００１７】
また本発明の第１形態によれば、インディケータを無線ローカル・エリア・ネットワーク端末とともに使用される加入者識別モジュールに記憶させてもよい。
【００１８】
本発明の第2の形態によれば、本発明の第1の形態による方法を実施する際にWLAN端末が使用する装置が提供される。
【００１９】
本発明の上記の目的、特徴、利点、ならびに本発明の他の目的、特徴、利点は、添付の図面を参照した以下の詳細な説明から明らかになるであろう。
【発明を実施するための最良の形態】
【００２０】
本発明は、無線ローカル・エリア・ネットワーク（WLAN）端末が、そのWLAN端末に設けられたサービス・セット識別子（SSID）の優先リスト（preferred list）上の少なくともいくつかのSSIDのうちのいずれが、あるWLANアクセス・ポイントで利用可能であるかを決定する上で役に立つ。本発明によれば、優先SSIDリスト（preferred SSID list）が提供される。このリスト上の各SSIDは、当該SSIDを探すべきかどうかを示すフラグまたはそれ以外のインディケータを持っているか、あるいは少なくともそのリストには、そのリスト上の所定のSSIDを探すべきかどうかを決定するための何らかの根拠が含まれている。フラグ又はプローブ・インディケータが、リスト上のSSIDを探すべきかを示しているため、WLAN端末は、ビーコン・メッセージの中で一斉同報送信されることが想定されるSSIDを探知することをスキップできる。フラグ（と優先SSIDリスト）は、ユーザー、オペレータ、製造者、または他のサービス管理者が入力またはあらかじめプログラムすること、あるいは無線インターフェイスを通じてWLAN端末にダウンロードすることができる。
【００２１】
本発明の一実施態様では、優先SSIDリストに、ホーム・オペレータ（home operator）のSSIDとそれ以外のほんのいくつかのSSIDだけ（最も重要なもの）のためのフラグを含め、ユーザーがこれらを見逃さないようにする。または、フラグは数十あってもよい。
【００２２】
図1には、WLAN端末11と、それに付随する優先SSIDリスト12に加え、3つの異なるWLANアクセス・ポイントAP1、AP2、AP3も示してある。第1のアクセス・ポイントAP1は、（ビーコン・メッセージの中で送信される）SSID1および（ビーコン・メッセージの中で送信されない）SSID1aとして示したSSIDをサポートしている。優先SSIDリスト12に示したように、WLAN端末の最も優先度が高い（most preferred）SSIDはSSID1aであるが、WLAN端末は、それを第1のアクセス・ポイントで利用できることを発見するため、プローブ・メッセージを送信せねばならない。本発明により、SSID1aだけを探すべきであることを示し、ビーコン・メッセージの中で送信されるSSID2は探さないことを示すインディケータが提供される。
【００２３】
図2を参照すると、WLAN端末11の優先SSIDリスト12の典型的な構成が示してある。優先SSIDリスト12は、WLAN端末に含まれている不揮発性メモリ構造にこの構成で記憶されている。SSIDリストは、WLAN端末で用いられる加入者識別モジュールに記憶させることもできる。SSID優先リスト上の個々のSSIDに付随するフラグ又はプローブ・インディケータは、このリストとともに記憶させること、またはこのリストとは別に（例えばリレーショナルデータベース・タイプのデータベースを別のテーブルにしたものに）記憶させることができる。本発明のWLAN端末は、図2に示したように、一般に、優先SSIDリスト上のSSIDを探知するプローブ・モジュールも備え、該プローブ・モジュールはトランシーバ（TRX）を使用してこの探査に関する信号を送受信する。
【００２４】
フラグ又はプローブ・インディケータは、SSID優先リストの一部としてそのSSID優先リストと同時に提供すること、またはSSID優先リストとは別に後から提供することができる。例えばSSID優先リストには、フラグ又はプローブ・インディケータの値のためのプレースホルダーを設けることができる。この値は、例えばオペレータまたはソフトウエア販売業者が、あるいはユーザーでさえ、後で設定することができる。WLAN端末がビーコン・メッセージに含まれるSSIDを探知しなくてもよいようにしておくため、ビーコンをモニターすることによりどのSSIDが一斉同報送信されたかを知り、そしてフラグ又はプローブ・インディケータが設定することで、フラグ又はプローブ・インディケータがWLAN端末によって自動的に設定されるようにすることさえ可能である。
【００２５】
プローブ信号がWLAN端末から特定の個々のWLANアクセス・ポイントに向けて送信されたか、それともアクセス可能なすべてのWLANアクセス・ポイントに一斉同報送信されたかは、本発明のテーマではない。
【００２６】
上記の構成は本発明の原理を応用した単なる例示であることが理解されよう。当業者であれば、本発明の範囲を逸脱することなく、多数の変更や別の構成を考案できるため、添付の請求項にはそのような変更や構成も含まれるものとする。
【図面の簡単な説明】
【００２７】
【図１】WLAN端末の概略図であり、どのSSIDが、このWLAN端末にアクセスできるWLANアクセス・ポイントによってサポートされているかを決定するために探知を行うWLAN端末の概略図である。
【図２】WLAN端末のブロック図であり、本発明に関係する要素、すなわちこのWLAN端末の優先SSIDリストが設けられるメモリ構造を示し、この優先SSIDリストには、リスト上の各SSIDに関し、そのSSIDを探すべきかどうかを示すインディケータ又はフラグが含まれることを示すブロック図である。
【図１】
2007520939.tif 000003
【図２】
2007520939.tif 000004
【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
無線ローカル・エリア・ネットワーク端末によって使用される方法であって、
無線ローカル・エリア・ネットワークのアクセス・ポイントにて優先的に探知するべきサービス・セット識別子のリストの中から１つのサービス・セット識別子を決定し、
前記無線ローカル・エリア・ネットワーク端末に設けられかつ前記１つのサービス・セット識別子に関連付けられたインディケータが、前記無線ローカル・エリア・ネットワーク端末が前記１つのサービス・セット識別子を探知することを示すか否かを決定し、
前記インディケータが、前記無線ローカル・エリア・ネットワーク端末が前記１つのサービス・セット識別子を探知することを示す場合にのみ、このサービス・セット識別子を探知する、
ことを含む方法。
【請求項２】
前記リストが、前記無線ローカル・エリア・ネットワーク端末が前記１つのサービス・セット識別子を探知することを示す前記インディケータを、含む請求項1に記載の方法。
【請求項３】
前記インディケータが、前記リストとは別に記憶され、かつ前記リストの中のサービス・セット識別子と特定の関連付けを有する、請求項1に記載の方法。
【請求項４】
前記インディケータを前記無線ローカル・エリア・ネットワーク端末のメモリ・カードに記憶させる、請求項1に記載の方法。
【請求項５】
前記インディケータを前記無線ローカル・エリア・ネットワーク端末とともに使用される加入者識別モジュールに記憶させる、請求項1に記載の方法。
【請求項６】
無線ローカル・エリア・ネットワーク端末により利用される装置であって、
無線ローカル・エリア・ネットワークのアクセス・ポイントにて優先的に探知するべきサービス・セット識別子のリストの中から１つのサービス・セット識別子を決定し、かつ前記無線ローカル・エリア・ネットワーク端末に設けられかつ前記１つのサービス・セット識別子に関連付けられたインディケータが、前記無線ローカル・エリア・ネットワーク端末が前記１つのサービス・セット識別子を探知することを示すか否かを決定する手段と、
前記インディケータが、前記無線ローカル・エリア・ネットワーク端末が前記１つのサービス・セット識別子を探知することを示す場合にのみ、このサービス・セット識別子を探知する手段と、
を備える装置。
【請求項７】
前記リストが、前記無線ローカル・エリア・ネットワーク端末が前記１つのサービス・セット識別子を探知することを示す前記インディケータを、含む請求項6に記載の装置。
【請求項８】
前記インディケータが、前記リストとは別に記憶され、かつ前記リストの中のサービス・セット識別子との特定の関連付けを有する、請求項6に記載の装置。
【請求項９】
前記インディケータが、前記無線ローカル・エリア・ネットワーク端末のメモリ・カードに記憶される、請求項6に記載の装置。
【請求項１０】
前記インディケータが、前記無線ローカル・エリア・ネットワーク端末とともに使用される加入者識別モジュールに記憶される、請求項6に記載の装置。
【請求項１１】
無線端末に記憶されているサービス・セット識別子のリストから、１つのサービス・セット識別子を選択し、
前記無線端末に記憶されかつ前記１つのサービス・セット識別子に関連付けられたインディケータが、前記無線端末が前記１つのサービス・セット識別子を探知することを示すとき、前記１つのサービス・セット識別子のためのプローブ・メッセージを作成する、
ことを含む方法。
【請求項１２】
前記リストが、前記無線端末が前記１つのサービス・セット識別子を探知することを示す前記インディケータを、含む請求項11に記載の方法。
【請求項１３】
前記インディケータが、前記リストとは別に記憶され、かつ前記リストの中のサービス・セット識別子と特定の関連付けを有する、請求項11に記載の方法。
【請求項１４】
前記インディケータを前記無線端末のメモリ・カードに記憶させる、請求項11に記載の方法。
【請求項１５】
前記インディケータを前記無線端末とともに使用される加入者識別モジュールに記憶させる、請求項11に記載の方法。
【請求項１６】
サービス・セット識別子のリストと、各サービス・セット識別子が各々１つの無線ローカル・エリア・ネットワークを示す複数のサービス・セット識別子のうちの少なくともいずれかにそれぞれ関連付けられたインディケータとを、無線端末に記憶させる手段、および、
サービス・セット識別子の前記リストから１つのサービス・セット識別子を選択し、前記無線端末に記憶されかつ前記１つのサービス・セット識別子に関連付けられたインディケータが、前記無線端末がそのサービス・セット識別子を探知することを示すとき、前記１つのサービス・セット識別子のためのプローブ・メッセージを作成する手段と、
を備える装置。
【請求項１７】
前記リストが、前記無線端末が前記１つのサービス・セット識別子を探知することを示す前記インディケータを、含む請求項16に記載の装置。
【請求項１８】
サービス・セット識別子のリストと、各サービス・セット識別子が各々１つの無線ローカル・エリア・ネットワークを示す複数のサービス・セット識別子のうちの少なくともいずれかにそれぞれ関連付けられたインディケータとを、無線端末に記憶させるためのメモリ装置、および、
サービス・セット識別子の前記リストから１つのサービス・セット識別子を選択し、前記無線端末に記憶されかつ前記１つのサービス・セット識別子に関連付けられたインディケータが、前記無線端末がそのサービス・セット識別子を探知することを示すとき、前記１つのサービス・セット識別子のためのプローブ・メッセージを作成するプローブ・モジュールを備える装置。
【請求項１９】
前記リストが、前記無線端末が前記１つのサービス・セット識別子を探知することを示す前記インディケータを、含む請求項18に記載の装置。
【請求項２０】
前記メモリ装置は、前記インディケータが前記リストと別に記憶され、かつ前記インディケータが前記リストの中のサービス・セット識別子と特定の関連性を有するように設定される請求項18に記載の装置。
【請求項２１】
前記メモリ装置は、前記インディケータを無線端末のメモリ・カードに記憶させるように構成される請求項18に記載の装置。
【請求項２２】
前記メモリ装置は、前記インディケータを無線端末とともに使用される加入者識別モジュールに記憶させるように構成される請求項18に記載の装置。
【請求項２３】
請求項18に記載の装置と、
前記プローブ・メッセージを送信してそれに対する応答を受信するトランシーバと、
を備える無線端末。
【請求項２４】
無線端末を動作させるプローブ・モジュールであって、
記憶されているサービス・セット識別子のリストから１つのサービス・セット識別子を選択する手段と、
前記１つのサービス・セット識別子に関連付けられて記憶されたインディケータが、前記１つのサービス・セット識別子が探知されるべきであることを示すとき、前記１つのサービス・セット識別子のためのプローブ・メッセージを作成する手段と、
を備えているプローブ・モジュール。
【請求項２５】
各サービス・セット識別子が各々１つの無線ローカル・エリア・ネットワークを示す複数のサービス・セット識別子を、無線端末に記憶させ、
前記複数のサービス・セット識別子のうちの少なくともいずれかにそれぞれ関連付けられたインディケータを前記無線端末に記憶させる、ことを含み、
あるサービス・セット識別子のためのインディケータが、そのサービス・セット識別子を探知すべきか否かを示すように設定される方法。
【請求項２６】
前記インディケータを、前記無線端末のメモリ・カードまたは加入者識別モジュールに記憶させる、請求項25に記載の方法。
【請求項２７】
無線端末の一部として使用するため、
サービス・セット識別子の優先リストを表わすデータと、
それぞれサービス・セット識別子について、そのサービス・セット識別子が探知されるべきか否かを示すインディケータと、
が記憶される不揮発性メモリ構造。
【請求項２８】
前記データ記憶装置がメモリ・カードである、請求項27に記載の不揮発性メモリ構造。
【請求項２９】
前記データ記憶装置が加入者識別モジュールである、請求項27に記載の不揮発性メモリ構造。
【国際調査報告】
2007520939.tif 000005
2007520939.tif 000006